(57)【要約】【課題】  記録媒体と撮像装置の最大外形との間に形成される空間を利用して装置の小型化、薄型化を両立させる。【解決手段】  円盤状記録媒体を用いた撮像装置において、前記円盤状記録媒体の中心軸方向から見て、前記撮像装置は前記記録媒体に略外接する四角形状を有し、前記記録媒体と前記撮像装置の最大外形との間に形成される空間の少なくとも１箇所に撮像装置を形成する要素、例えば撮像光学系、ファインダ、ストロボ、電源、コネクタ、マイク、スピーカのいずれかを配置した。【選択図】      図１
2005167810.tif 000002
【特許請求の範囲】
【請求項１】
円盤状記録媒体を用いた撮像装置において、前記円盤状記録媒体の中心軸方向から見て、前記撮像装置は前記記録媒体に略外接する四角形状を有し、前記記録媒体と前記撮像装置の最大外形との間に形成される空間の少なくとも１箇所に撮像装置を形成する要素を配置したことを特徴とする撮像装置。
【請求項２】
円盤状記録媒体を用いた撮像装置において、前記円盤状記録媒体に情報を記録再生する情報記録再生部を有しており、前記円盤状記録媒体の中心軸方向から見て、前記情報記録再生部は円形であり、前記撮像装置は前記情報記録再生部に略外接する四角形状を有し、前記情報記録再生部と前記撮像装置の最大外形との間に形成される空間の少なくとも１箇所に撮像装置を形成する要素を配置したことを特徴とする撮像装置。
【請求項３】
前記情報記録再生部は、前記円盤状記録媒体の背後に配置されていることを特徴とする請求項２に記載の撮像装置。
【請求項４】
前記撮像装置を形成する要素は、撮像光学系、ファインダ、ストロボ、電源、コネクタ、マイク、スピーカのいずれかであることを特徴とする請求項１〜３のいずれかに記載の撮像装置。
【請求項５】
前記ファインダは、装置本体に回動可能に取り付けられていることを特徴とする請求項４に記載の撮像装置。
【請求項６】
前記撮像光学系は、前記ファインダを兼ねていることを特徴とする請求項４に記載の撮像装置。
【発明の詳細な説明】
【技術分野】
【０００１】
本発明は、例えばＣＤ、ＤＶＤなどの円盤状記録媒体を用いて情報の記録再生を行う撮像装置に関するものである。
【背景技術】
【０００２】
従来、この種の撮像装置においては、例えば下記特許文献１に記載のものが挙げられる。
【０００３】
図４は、特許文献１に記載された撮像装置の概略図である。
【０００４】
図４（ａ）と（ｂ）は各々デジタルカメラ１０１を構成する要素の配置を変更した２つの例を示したものであり、デジタルカメラ１０１は、デジタルカメラで撮影した静止画、動画、音声を記録する記録用ディスク（図示せず）を駆動し、読み書きをするための機構であるディスクドライブ１０２と、バッテリ１０３、レンズ部１０４、ＥＶＦ（Electric View Finder）１０５、マイク１０７によって構成されている。
【０００５】
また、図４（ｂ）中の１０６は記録用ディスクを挿入する挿入口である。本従来例では、ディスクドライブ１０２の外形について、各方向から見た正射影のうちディスクの中心軸方向からの正射影（以下、単に「正射影」という）は最大であり、その面が操作者と直交する向きになっており、（ａ）ではその正射影内にバッテリ１０３を、（ｂ）ではバッテリ１０３に加えレンズ部１０４とＥＶＦ１０５が配置されている。なお、マイク１０７はどちらの従来例においてもディスクドライブ１０２の厚さ方向に配置されており、正射影からは突出している。
【特許文献１】特開平１１−２１５４１４号公報
【発明の開示】
【発明が解決しようとする課題】
【０００６】
しかしながら、近年、撮像装置のより一層の小型化が要求されている。このため、従来の構成では、ディスク記録再生部であるディスクドライブ１０２の外形がディスクと外接する略四角形で構成されており、撮像装置を形成する要素（従来例においてはバッテリ１０３、レンズ部１０４、ＥＶＦ１０５、マイク１０７）は、図４（ａ）、（ｂ）ともにディスク記録再生部の外側に配置されていた。つまり、（ａ）の場合は、レンズ部やＥＶＦやマイクが突出することで、撮像装置の正射影の面積が大きくなり、更に厚さ方向においては、バッテリが突出している。また、（ｂ）の場合は、正射影の面積はマイク以外は大型化していないが、その他の要素は厚さ方向に全て突出している。このように従来の構成においては小型化、薄型化の両立を図ることが困難であった。
【０００７】
本発明の目的は、上記課題を解決するためのものであり、小型化、薄型化を両立した撮像装置を提供することである。
【課題を解決するための手段】
【０００８】
本発明の撮像装置は、円盤状記録媒体を用いた撮像装置において、前記円盤状記録媒体の中心軸方向から見て、前記撮像装置は前記記録媒体に略外接する四角形状を有し、前記記録媒体と前記撮像装置の最大外形との間に形成される空間の少なくとも１箇所に撮像装置を形成する要素を配置したことを特徴とする。
【０００９】
また、本発明の撮像装置は、円盤状記録媒体を用いた撮像装置において、前記円盤状記録媒体に情報を記録再生する情報記録再生部を有しており、前記円盤状記録媒体の中心軸方向から見て、前記情報記録再生部は円形であり、前記撮像装置は前記情報記録再生部に略外接する四角形状を有し、前記情報記録再生部と前記撮像装置の最大外形との間に形成される空間の少なくとも１箇所に撮像装置を形成する要素を配置したことを特徴とする。
【発明の効果】
【００１０】
本発明によれば、円盤状記録媒体の中心軸方向から見た略四角形状の撮像装置の外形について正射影はその面積を縮小され、小型化、薄型化を両立した撮像装置を実現することができる。
【発明を実施するための最良の形態】
【００１１】
以下、本発明の実施の形態について図面を参照して詳細に説明する。なお、具体的な構成、及び、動作は従来例に準じており、説明は省略する。
【００１２】
［実施形態１］
図１は、本発明における第１の実施形態の撮像装置を示す概略図であり、（ａ）はディスク挿入前の概略斜視図、（ｂ）は正面図、（ｃ）は側面図である。
【００１３】
また、図２は、情報記録再生部であるディスク記録再生部の概略構成図である。
【００１４】
ディスク記録再生部６は、記録再生用のディスク２、ディスク２を吸着し回転させるスピンドルモータ３、ディスク２に光ビームを照射する対物レンズ４ａを備えた光ピックアップ４、光ピックアップ４をディスク半径方向に移送させるリードスクリュー５ａを備えた移送モータ５とガイドシャフト５ｂから構成されている。ディスク記録再生部６は、ディスク２の背後に配置され、その正射影はディスク２によって規定されている。なお、「正射影」とは、従来例と同様にディスクの中心軸方向から見た正射影であり、図１（ｃ）の側面図を射影とみたものである。
【００１５】
ディスク記録再生部６の具体的な動作としては、まずスピンドルモータ３にディスク２を吸着させ回転させる。そして、回転したディスク２に光ピックアップ４の対物レンズ４ａから光ビームを照射することで信号の記録再生を行う。また、光ピックアップはガイドシャフト５ｂとリードスクリュー５ａによってディスク半径方向に移送可能に支持されており、移送モータ５によって、ディスク２の内外周に渡って記録再生を行う。
【００１６】
撮像装置１は、ディスク記録再生部６と、レンズやＣＣＤ部７ａ、フォーカス／ズーム用アクチェータ部７ｂ，７ｃ（ハッチング部）などによって構成される撮像光学系７、撮像装置本体に対し回動可能に取り付けられたファインダユニット８、外部機器接続用のコネクタ９、電源１０、一辺が回動可能に支持されたディスクカバー１１、によって構成されており、ディスクカバー１１を開くことでディスク２の装着を行う。
【００１７】
本実施形態においては、図１（ｃ）に示すように、ディスク２と外接する略四角形状Ａと、ディスク外周によって形成される空間を各々Ｓａ１〜Ｓａ４とし、Ｓａ１に撮像光学系７、Ｓａ２にファインダユニット８、Ｓａ３にコネクタ９、Ｓａ４に電源１０を配置している。
【００１８】
図１（ｃ）から分かるように、撮像光学系７は、ＣＣＤ部７ａを含むそのレンズ本体後部が、空間Ｓａ１のディスク外形側に跨がるように配置されている。特に図中に示すようにＣＣＤ部７ａを配置することで、空間Ｓａ１を有効活用している。また、図１（ｂ），（ｃ）に示すようにフォーカス／ズーム用アクチェータ部７ｂ，７ｃ（ハッチング部）を配置することで、空間Ｓａ１の有効活用、また、厚さ方向への突出低減も実現している。
【００１９】
また、ファインダユニット８は、支点８ａによって撮像装置１の本体に対し回動可能に取り付けられており、ファインダユニット８の内部に設置された液晶パネル８ｂの表示面を反射ミラー８ｃで反射させて、接眼レンズ８ｄを通る光路で視点から視認するように構成されている。このミラー８ｃは、ファインダユニット８が図１（ｃ）のように下がっているときに、空間Ｓａ２のディスク側面に対応配置される。
【００２０】
また、電源１０は図中に示すように長方形形状を有しており、空間Ｓａ３においてディスク接線方向に沿って配置されている。
【００２１】
また、コネクタ９はＳ端子９ａ、ＲＣＡプラグ９ｂ、Ｄ端子９ｃから構成されており、空間Ｓａ４において端子の大きさを考慮し、図中に示すようにディスク外形に沿って配置されている。
【００２２】
かかる構成としたことで、撮像装置１は、撮像装置を形成する要素（撮像光学系７等）が四角形状の隅でディスク記録再生部６と並置されている。従来例と比較し、撮像装置の正射影の面積を縮小することが可能となる。つまり、各要素が、それぞれ空間Ｓａ１〜Ｓａ４に跨る分、装置の小型化が実現されるのである。また、（ｂ）に示すように各要素は、ディスク記録再生部６とオーバーラップして配置されておらず、厚さ方向においても、装置の薄型化が実現されている。
【００２３】
なお、本実施形態においては、ディスク２と外接する略四角形状Ａと、ディスク外周によって形成される空間に、撮像光学系７、ファインダユニット８、コネクタ９、電源１０を配置したが、本発明はこれに限定されるものではなく、例えばストロボ、マイク、スピーカ等を配置することも可能である。また、Ｓａ１〜Ｓａ４において示した空間のうち少なくとも１個所以上に適用することで、本発明の効果を得ることは可能である。また、例えば空間Ｓａ４のみならず、空間Ｓａ３の電源１０が配置されていない部分などにもコネクタ類を配置することも可能である。
【００２４】
［実施形態２］
図３は、本発明の第２の実施形態における撮像装置を示す概略図であり、（ａ）はディスク挿入前の概略斜視図、（ｂ）は正面図、（ｃ）は側面図である。
【００２５】
本実施形態において、撮像装置１は、実施形態１と同様に構成されたディスク記録再生部６と、実施形態１と比較し、ＣＣＤ部を除去し直視可能に構成された撮像光学系７、ディスクカメラ本体に取り付けられたストロボ１２、実施形態１と同様に構成された外部機器接続用のコネクタ９、電源１０、一辺が回動可能に支持されたディスクカバー１１、によって構成されており、基本的な動作は実施形態１に準じている。なお、撮像光学系７においては、直視可能なファインダ（スルーレンズビューファインダ）としても構成されており、撮像光はダイクロイックミラー等によりＣＣＤ部に導かれる。本実施形態においては、図３に示すように、ディスクと外接する略四角形状Ｂと、ディスク外周によって形成される空間を各々Ｓｂ１〜Ｓｂ４とし、Ｓｂ１にストロボ１２、Ｓｂ２に撮像光学系７、Ｓｂ３に電源１０、Ｓｂ４にコネクタ９を配置している。
【００２６】
ストロボ１２は図３（ｂ）に示すように、空間Ｓｂ１に跨るように配置している。また、図３（ｂ）に二点鎖線で１２ａとして示したようにディスク外形の接線方向に沿って配置することで、更に大型のストロボを空間Ｓｂ１の中に配置することも可能である。
また、図３（ｂ），（ｃ）から分かるように、撮像光学系７は、フォーカス／ズーム用アクチェータ部７ｂ，７ｃ（ハッチング部）をディスク外周近傍に配置することで、空間Ｓｂ２の有効活用を実現している。
【００２７】
また、電源１０は図中に示すように三角柱形状を有しており、空間Ｓｂ３を最大限活用できるように断面形状の斜辺がディスク外形の接線に沿うように配置されている。
【００２８】
また、コネクタ９はＳ端子９ａ、ＲＣＡプラグ９ｂ、Ｄ端子９ｃから構成されており、空間Ｓｂ４において端子の大きさを考慮し、図中に示すようにディスク外形に沿って配置されている。
【００２９】
かかる構成としたことで、実施形態１と同様に撮像装置１は、撮像装置を形成する要素（撮像光学系７等）が四角形状の隅でディスク記録再生部６と並置されている。従来例と比較し、撮像装置の正射影の面積を縮小することが可能となる。つまり、各要素が、それぞれ空間Ｓｂ１〜Ｓｂ４に跨る分、装置の小型化が実現されるのである。また、（ｂ）に示すように各要素は、ディスク記録再生部６とオーバーラップして配置されておらず、厚さ方向においても、装置の薄型化が実現されている。
【００３０】
なお、本実施形態においては、ディスク２と外接する略四角形状Ｂと、ディスク外周によって形成される空間に、撮像光学系７、ストロボ１２、電源１０、コネクタ９を配置したが、本発明はこれに限定されるものではなく、例えばスピーカ、マイク等を配置することも可能である。また、Ｓｂ１〜Ｓｂ４において示した空間のうち少なくとも１個所以上に適用することで、本発明の効果を得ることは可能である。例えば空間Ｓｂ４のみならず、空間Ｓｂ３の電源１０が配置されていない部分などにもコネクタ類を配置することも可能である。
【図面の簡単な説明】
【００３１】
【図１】本発明の第１の実施形態における撮像装置を示す概略図
【図２】本発明の第１の実施形態におけるディスク記録再生部の概略構成図
【図３】本発明の第２の実施形態における撮像装置を示す概略図
【図４】従来の撮像装置の概略図
【符号の説明】
【００３２】
１  撮像装置
２  ディスク
３  スピンドルモータ
４  光ピックアップ
５  移送モータ
６  ディスク記録再生部
７  撮像光学系
８  ファインダユニット
９  コネクタ
１０  電源
１１  ディスクカバー
１２  ストロボ
Ｓａ１〜Ｓａ４  空間
Ｓｂ１〜Ｓｂ４  空間
【図１】
2005167810.tif 000003
【図２】
2005167810.tif 000004
【図３】
2005167810.tif 000005
【図４】
2005167810.tif 000006